(57)【要約】【課題】  情報の追記が表示装置から離れた場所でも容易にでき、表示画像切り替え時の追記情報の消去・清掃作業を無くすことができ、プレゼンテーション等の作業を容易且つ迅速に行えるようにする。【解決手段】  感光体ドラム５に静電潜像が形成され、この静電潜像の非画像部が消色トナー現像器８で可視像化されて表示画像としての消色トナー像が得られ、消色トナー像が画像表示ベルト１上に転写される。画像部が通常トナー現像器３５により現像され通常トナー像が画像表示ベルト１上において消色トナー像に重ねて転写される。重ね画像が、画像表示ベルト１の走行に従い、透明な保護カバー１７の表示領域１７ａに位置した時点で駆動ローラ２が停止される。保護カバー１７の外部からポインター装置３２により特定波長の光を特定強度で照射することにより、消色トナーで現像された非画像部の任意部を消色し、情報を追記することが可能となる。【選択図】図１
2005092109.tif 000002
【特許請求の範囲】
【請求項１】
像担持体に静電潜像を形成し、該静電潜像をトナーにより現像した画像を表示する画像表示装置において、
表示画像における画像部の現像を通常の有色トナーにより行うとともに、非画像部を消色トナーにより現像し、非画像部の任意部へ光照射が可能な表示部を有していることを特徴とする画像表示装置。
【請求項２】
請求項１記載の画像表示装置における表示画像の任意部を指示するポインター装置において、
照射する光の光量を変更可能であり、光量を変更することにより上記非画像部の任意部を露光して消色し画像を追記可能であることを特徴とするポインター装置。
【請求項３】
請求項１記載の画像表示装置における表示画像の任意部を指示するポインター装置において、
照射する光の波長を変更可能であり、波長を変更することにより上記非画像部の任意部を露光して消色し画像を追記可能であることを特徴とするポインター装置。
【請求項４】
請求項１記載の画像表示装置において、
上記表示画像に対して光を照射することで上記非画像部を露光し、消色することにより追記画像を消去する手段を有していることを特徴とする画像表示装置。
【請求項５】
請求項１記載の画像表示装置において、
上記表示画像を記録媒体に転写する転写手段を有していることを特徴とする画像表示装置。
【請求項６】
請求項５記載の画像表示装置において、
上記表示画像を転写された記録媒体上の該表示画像に光を照射して消色する手段を有していることを特徴とする画像表示装置。
【請求項７】
請求項５記載の画像表示装置において、
上記消色トナーは、通常の環境条件にて一定時間経過後に自然に消色する特性を有していることを特徴とする画像表示装置。
【発明の詳細な説明】
【技術分野】
【０００１】
本発明は、トナー画像を形成して表示する画像表示装置に関し、詳しくは表示画像に対する情報の追記が可能な画像表示装置に関する。
【背景技術】
【０００２】
従来、電気信号に変換された画像情報を可視像化して表示する画像表示装置は種々開発されており、代表的なものとしてＣＲＴ（陰極線管）ディスプレイ装置や液晶ディスプレイ装置、プラズマディスプレイ装置が実用化されている。
ＣＲＴディスプレイ装置は、解像力不足や表示能力の低下、目が疲れる等の課題を有しており、液晶ディスプレイ装置やプラズマディスプレイ装置は解像力不足、大画面化し難く、高価である等の課題を有していることから、電子写真方法を用いた画像表示装置が提案されている。
【０００３】
特開平５−１８１３９１号公報には、上下２つの搬送ローラ間に掛け回されたベルト状の画像表示部材上にトナー像とともにマーキングをし、このマークを濃度検知センサで読み取ることにより画像表示部材の無駄な移動を無くして画像を見やすい位置に設定する技術が開示されている。
特開平５−２６５３５１号公報には、表示媒体として電子写真用感光体を用い、表示される画像の解像力を向上させ、小さな文字や精細な画像情報についても良好に再現できるようにすべく、感光体と、コロナチャージャと、帯電同時露光用コロナチャージャと、全面露光ランプと、現像装置と、透明な表示部とで構成し、感光体上に形成したトナー像を表示部を通して視認できるようにした画像表示装置が記載されている。
【０００４】
特開平６−１０５０９４号公報には、表示された画像に加筆する際に画像を形成する未定着トナ−によりオペレ−タの手や衣服が汚れることを防止すべく、外部画像読み取り装置により読み取った画像を表示面（ベルト状感光体）上に表示し、パネル読み取り装置により透明カバ−上に加筆された画像と、透明カバ−の下に位置する前記表示面上の画像とを重ねて読み取り、その読み取った画像をプリンタでプリントアウトする画像形成装置が記載されている。
特開平７−２０７４６号公報には、透明なフィルムベルトに感光ドラムに形成されたトナー像を転写し、フィルムベルトの内側に設けた光源によってフィルムベルト上のトナー像をスクリーンに投射する情報表示装置が記載されている。
特開平７−１２１０５７号公報には、ループ状に設けられた透明フィルムの内側に画像を記録するとともに外側にペン等で直接書き込みを行い、記録された図形を、ペン等で書き込みされた文字等とともにイメージセンサによって読み取る技術が開示されている。
【０００５】
【特許文献１】特開平５−１８１３９１号公報
【特許文献２】特開平５−２６５３５１号公報
【特許文献３】特開平６−１０５０９４号公報
【特許文献４】特開平７−２０７４６号公報
【特許文献５】特開平７−１２１０５７号公報
【発明の開示】
【発明が解決しようとする課題】
【０００６】
特開平５−１８１３９１号公報、特開平５−２６５３５１号公報に記載の画像表示装置においては、表示部材にトナー画像を形成し、トナー画像を装置外部から視認可能とする画像表示部を設けている。また、特開平７−２０７４６号公報に記載の情報表示装置においては、透明部材にトナー像を形成し、透明部材上のトナー像をスクリーンに投射する光源を設けている。
画像表示装置の用途の１つであるプレゼンテーションにおいては、表示画像の任意部をポインター装置により指示したり、表示画像に情報を追記したりできることが有用であり、液晶ディスプレイ装置やプラズマディスプレイ装置のようにコンピュータと接続し、プレゼンテーションアプリケーション画面をリアルタイムに表示可能な装置においては、簡単に実現できる機能である。
【０００７】
しかしながら、上記のような電子写真方式を用いた画像表示装置においては、コンピュータ画面をリアルタイムに表示すことは困難である。
これに対し、特開平６−１０５０９４号公報に記載の画像形成装置では、トナー画像表示部に情報の追記が可能な透明カバーを設けている。この装置においては、プレゼンテーション時に表示画像に対し簡単に情報の追記が可能であるが、表示装置からある程度離れた場所でプレゼンテーションを行う場合は、情報の追記が必要となるたびに、書き込みを行うために表示装置に近づく必要があるばかりでなく、表示画像を切り換えるたびに、透明カバーに追記した情報を消去・清掃する必要があり、プレゼンテーションにおける大きな障害（面倒さ）となっていた。
また、特開平７−１２１０５７号公報に記載のイメージ表示装置では、透明部材の内側にトナー像を形成し、光源によりトナー像をスクリーンに投射するとともに、透明部材の外側に情報の追記を可能としている。この装置においては、プレゼンテーション時に表示画像に対し簡単に情報の追記が可能であるが、表示装置からある程度離れた場所、たとえばスクリーンの近くでプレゼンテーションを行う場合は、情報の追記が必要となるたびに、上記と同様に表示装置に近づく必要があり、プレゼンテーションにおける大きな障害（面倒さ）となっていた。
【０００８】
そこで、本発明は、情報の追記が表示装置から離れた場所でも容易にでき、表示画像切り換え時の追記情報の消去・清掃作業を無くすことができ、プレゼンテーション等の作業を容易且つ迅速に行える画像表示装置及びポインター装置の提供を、その目的とする。
【課題を解決するための手段】
【０００９】
上記目的を達成するために、請求項１記載の発明では、像担持体に静電潜像を形成し、該静電潜像をトナーにより現像した画像を表示する画像表示装置において、表示画像における画像部の現像を通常の有色トナーにより行うとともに、非画像部を消色トナーにより現像し、非画像部の任意部へ光照射が可能な表示部を有していることを特徴とする。
【００１０】
請求項２記載の発明では、請求項１記載の画像表示装置における表示画像の任意部を指示するポインター装置において、照射する光の光量を変更可能であり、光量を変更することにより上記非画像部の任意部を露光して消色し画像を追記可能であることを特徴とする。
【００１１】
請求項３記載の発明では、請求項１記載の画像表示装置における表示画像の任意部を指示するポインター装置において、照射する光の波長を変更可能であり、波長を変更することにより上記非画像部の任意部を露光して消色し画像を追記可能であることを特徴とする。
【００１２】
請求項４記載の発明では、請求項１記載の画像表示装置において、上記表示画像に対して光を照射することで上記非画像部を露光し、消色することにより追記画像を消去する手段を有していることを特徴とする。
【００１３】
請求項５記載の発明では、請求項１記載の画像表示装置において、上記表示画像を記録媒体に転写する転写手段を有していることを特徴とする。
【００１４】
請求項６記載の発明では、請求項５記載の画像表示装置において、上記表示画像を転写された記録媒体上の該表示画像に光を照射して消色する手段を有していることを特徴とする。
【００１５】
請求項７記載の発明では、請求項５記載の画像表示装置において、上記消色トナーは、通常の環境条件にて一定時間経過後に自然に消色する特性を有していることを特徴とする。
【発明の効果】
【００１６】
請求項１記載の発明によれば、像担持体に静電潜像を形成し、該静電潜像をトナーにより現像した画像を表示する画像表示装置において、表示画像における画像部の現像を通常の有色トナーにより行うとともに、非画像部を消色トナーにより現像し、非画像部の任意部へ光照射が可能な表示部を有している構成としたので、装置との距離に拘わらず簡単に付加情報を追記できる。表示部は単に光が通過するだけであり、追加情報が表示部に書き込まれる訳ではないので、表示画像を切り換えるたびに表示部の情報消去・清掃を行う必要がない。面倒さがないので、使用性の向上を図ることができる。非画像部の消色トナー像の任意部を消色化することが可能であるため、簡単に付加情報を追記できる。消色トナーによる現像を非画像部とすることにより、付加情報追記位置の自由度を向上できる。
【００１７】
請求項２記載の発明によれば、請求項１記載の画像表示装置における表示画像の任意部を指示するポインター装置において、照射する光の光量を変更可能であり、光量を変更することにより上記非画像部の任意部を露光して消色し画像を追記可能である構成としたので、表示画像指示用のポインター装置を、表示画像への付加情報追記装置として兼用できるため、画像表示装置の使い勝手の大幅な向上が可能となる。
【００１８】
請求項３記載の発明によれば、請求項１記載の画像表示装置における表示画像の任意部を指示するポインター装置において、照射する光の波長を変更可能であり、波長を変更することにより上記非画像部の任意部を露光して消色し画像を追記可能である構成としたので、表示画像指示用のポインター装置を、表示画像への付加情報追記装置として兼用できるため、画像表示装置の使い勝手の大幅な向上が可能となる。
【００１９】
請求項４記載の発明によれば、請求項１記載の画像表示装置において、上記表示画像に対して光を照射することで上記非画像部を露光し、消色することにより追記画像を消去する手段を有している構成としたので、簡単且つ迅速に表示画像に追記した付加情報の消去が可能であるため、画像形成装置の使い勝手の大幅な向上が可能となる。
【００２０】
請求項５記載の発明によれば、請求項１記載の画像表示装置において、上記表示画像を記録媒体に転写する転写手段を有している構成としたので、表示画像がトナーにより形成されているため、通常の電子写真方式画像形成装置と同様に、トナー像を記録媒体に転写するのみで、表示画像の記録媒体出力による記録・保存が実現でき、画像表示装置の使い勝手の大幅な向上が可能となる。
【００２１】
請求項６記載の発明によれば、請求項５記載の画像表示装置において、上記表示画像を転写された記録媒体上の該表示画像に光を照射して消色する手段を有している構成としたので、簡単かつ迅速に記録媒体に記録された表示画像の消去が可能であるため、例えば紙資源のリサイクルが可能となり、環境負荷低減に寄与することができる。
【００２２】
請求項７記載の発明によれば、請求項５記載の画像表示装置において、上記消色トナーは、通常の環境条件にて一定時間経過後に自然に消色する特性を有している構成としたので、通常環境に放置するだけで付加情報の消去が可能であり、特別な消色手段を設ける必要や、特別な消色処理を施す必要がなく、画像の消去が可能であるため、紙等の資源のリサイクルが可能となり、環境負荷低減に寄与できるとともに、記録情報の機密性を向上させることができる。
【発明を実施するための最良の形態】
【００２３】
以下、本発明の第１の実施形態を図１乃至図６に基づいて説明する。
図１は本発明を適用した画像表示装置の構成を示す。図１において、無端状の画像表示ベルト１が上方に位置する駆動ローラ２と下方に位置する従動ローラ３との間に掛け渡されており、駆動ローラ２によって矢印の向きに走行するように駆動される。
画像表示ベルト１の従動ローラ３側下方には、画像形成ユニット４が配置されている。画像形成ユニット４は、像担持体としての感光体ドラム５と、該感光体ドラム５の表面を一様に帯電するローラからなる帯電器６と、感光体ドラム５の帯電表面に画像信号によって変調されたビームで書き込みを行う書き込み手段７と、消色トナー現像器８と、通常トナー現像器３５と、感光体ドラム５上に残留したトナーを除去するクリーニング手段９等を有している。
【００２４】
消色トナー現像器８は、現像ローラ１０、パドルローラ１１、スクリューコンベア１２、トナー補給口１３等を備えている。パドルローラ１１は、放射状に延びる複数のスクリュー状のフィン１１ａを有しており、一方向に回転して消色トナー現像器８内の現像剤（消色トナーＴｅを含む）を軸方向（紙面厚み方向）に搬送しながら撹拌し、その現像剤を現像ローラ１０に供給する。
スクリューコンベア１２は、消色トナー現像器８内の現像剤をパドルローラ１１による搬送方向とは逆の方向に搬送する。消色トナー現像器８内の現像剤はパドルローラ１１とスクリューコンベア１２とによって十分に撹拌された状態で現像ローラ１０に供給される。
トナー補給口１３には、消色トナー補給容器（図示せず）が着脱自在に装着されていて、スクリューコンベア１２の一端部に消色トナーＴｅを適時補給し、消色トナー現像器８内の現像剤の濃度を所定の値に保持する。
通常トナー現像器３５も消色トナー現像器８の現像ローラ１０、パドルローラ１１、スクリューコンベア１２、トナー補給口１３と同様の構成、機能を有する現像ローラ３６、パドルローラ３７、スクリューコンベア３８、トナー補給口３９を有している。通常トナー現像器３５に収容されている現像剤は、通常トナーＴｎを含んでいる。
【００２５】
感光体ドラム５の回転は画像表示ベルト１の走行と同期しており、その周速は、画像表示ベルト１の走行速度と厳密に一致するように定められている。
帯電器６と書き込み手段７とによる周知の電子写真画像形成方法（一様な帯電及び書き込み）で形成された感光体ドラム５上の静電潜像は、それぞれ現像ローラ１０、３６により現像される。２個の現像器８、３５は互いに同様の構成を有し、周知の電子写真画像形成用現像器を採用することができる。
感光体ドラム５には、画像表示ベルト１の従動ローラ３側から転写用のバイアス電圧が印加される。
【００２６】
駆動ローラ２の近傍には、画像表示ベルト１の表面のトナーを除去するクリーニング装置１４が設けられている。クリーニング装置１４は、画像表示ベルト１に対してカウンタ方向で当接するクリーニングブレード１５と、該クリーニングブレード１５で除去されたトナーを回収する搬送部材１６等を有しており、画像表示ベルト１に対して接離自在に設けられている。
画像表示ベルト１の画像表示側（図中右側）には、表示部としての保護カバー１７が設けられている。保護カバー１７は、駆動ローラ２から従動ローラ３に亘る範囲の長さを有しているが、実質的な表示領域は１７ａである。保護カバー１７は光が透過する材料（例えば透明なプラスチック板）で形成されている。画像表示ベルト１の反対側（図中左側）も保護カバー１８で覆われている。
【００２７】
駆動ローラ２の上部には、中間転写用のバイアス電圧が印加される中間転写ローラ１９が画像表示ベルト１に対して接離自在に設けられており、画像表示ベルト１上の表示画像は中間転写ローラ１９に転写可能となっている。
中間転写ローラ１９には紙（記録媒体）転写用のバイアス電圧が印加される紙転写ローラ２０が接触して設けられ、紙転写ローラ２０と中間転写ローラ１９とにより表示画像の転写部２１が構成されている。また、中間転写ローラ１９と紙転写ローラ２０により表示画像を転写するための転写手段が構成されている。
画像表示装置の上方には、給紙装置２２が設けられている。給紙装置２２は、記録媒体としての転写紙Ｐを積載収容する給紙カセット２３と、積載された転写紙Ｐを最上のものから順に１枚ずつ分離して送り出す給紙ローラ２４等を有している。
給紙装置２２から送り出された１枚の転写紙Ｐは、ガイド板２５に案内されて転写部２１に給送され、中間転写ローラ１９上の表示画像を転写される。
【００２８】
転写部２１の斜め上方には、回転駆動される加熱ローラ２６とこれに圧接して回転する加圧ローラ２７を備えた定着装置２８が配置されている。加熱ローラ２６には、加熱ローラ２６の表面にオフセット防止液を塗布するローラ２９が必要に応じて当接している。
表示画像を転写された転写紙Ｐは、定着装置２８を通るとき、加熱ローラ２６と加圧ローラ２７により挟持搬送され、熱と圧力により消色トナーが溶融定着される。これにより、表示画像を紙情報として記録することが可能となる。加熱ローラ２６に密着した転写紙Ｐは分離爪３０により分離される。
定着装置２８の下流近傍（出口近傍）には、消色トナーの消色に必要な特定波長の光を特定強度で照射する消色光照射手段３１が設けられている。
保護カバー１７の上部には、表示画像における追記画像を消去する追記画像消色手段４０が設けられている。
【００２９】
上記構成による画像表示装置の動作を説明する。
まず、画像形成ユニット４の感光体ドラム５に、帯電器６と書き込み手段７とにより消色トナー現像器８に対応する静電潜像が形成され、この静電潜像が消色トナー現像器８で可視像化されて消色トナー像が得られる。この消色トナー像が従動ローラ３側からの転写バイアス印加により画像表示ベルト１上に転写される。
消色トナー像が、画像表示ベルト１の走行に従い、非接触状態のクリーニング装置１４を通過後、再度画像形成ユニット４に近づく間に、感光体ドラム５に帯電器６と書き込み手段７とにより通常トナー現像器３５に対応する静電潜像が形成され、この静電潜像が通常トナー現像器３５で可視像化されて通常トナー像が得られる。この通常トナー像が従動ローラ３側からの転写バイアス印加により画像表示ベルト１上に、消色トナー像と重ねて転写される。
消色トナー像と通常トナー像の重ね像（表示画像）が、画像表示ベルト１の走行に従い、保護カバー１７の表示領域１７ａに位置した時点で駆動ローラ２が停止される。これにより画像表示ベルト１上の消色トナーと通常トナーにより形成された画像が表示装置外部から視認可能となる。
画像の表示を終えた画像表示ベルト１は接触状態のクリーニング装置１４でトナー像を除去される。
複数の画像を表示する場合は、上記工程が繰り返される。
【００３０】
上記画像表示装置においては、表示画像を通常トナー像と消色トナー像の重ね画像で形成することが可能である。消色トナーは、特開平５−７２８００号公報や特開平５−１３４４４７号公報等の周知技術に示されているように、特定波長の光を特定強度でトナー像に照射することにより、画像を消色することが可能な特性を有している。
ここで、表示画像の画像部を通常トナーにより現像し、表示画像の非画像部を消色トナーにより現像した重ね画像を画像表示部に表示した場合、上述のように、透明な部材により形成された保護カバー１７に対し、装置外部から特定波長の光を特定強度で照射することにより、消色トナーで現像された非画像部の任意部を消色し、情報を追記することが可能となる。この場合、追記情報（画像）は白抜け画像となる。
【００３１】
従来より、画像表示装置の使用時に、表示画像の任意部を光を照射することにより指示するポインター装置が多用されている。本実施形態では、ポインター装置３２により、表示画像の任意部の表示と消色による追記を行うようになっている。
ポインター装置３２の照射波長を消色トナーの消色に必要な波長とし、表示画像を指示する通常使用時には消色トナーの消色に必要な強度と異なる強度とするとともに、表示画像に情報を追記する場合は、消色トナーの消色に必要な強度とすることにより、消色トナーで現像された表示画像の非画像部の任意部を消色し、情報を追記することが可能となる。
【００３２】
光学式ポインター装置は、一般的に光源として半導体レーザを使用しており、現在半導体レーザは様々な波長、強度のものが量産されている。消色トナーの消色とポインター装置（ポインターともいう）としての使用の双方に必要な強度以上の半導体レーザを選択し、光学式ポインター装置光源として搭載し、駆動電流の切り換えにより強度を選択的に切り換えて使用することで、画像表示部において情報の追記が可能なポインター装置３２が容易に実現できる。
【００３３】
画像表示装置の使用時に、表示画像の任意部を光を照射することにより指示するポインター装置３２において、表示画像を指示する通常使用時には消色トナーの消色に必要な波長と異なる波長とし、表示画像に情報を追記する場合は、消色トナーの消色に必要な波長とするようにしてもよい（第２の実施形態）。
この場合にも消色トナーで現像された表示画像の非画像部の任意部を消色し、情報を追記することが可能となる。光学式ポインター装置は、一般的に光源として半導体レーザを使用しており、現在半導体レーザは様々な波長、強度のものが量産されている。
消色トナーの消色に必要な波長の半導体レーザと、ポインターとして使用する波長の半導体レーザを選択し、双方の半導体レーザを光学式ポインター装置光源として搭載し、選択的に切り換えて使用することで、画像表示部において情報の追記が可能なポインター装置が容易に実現できる。
【００３４】
画像表示装置の使用時に、上述のように、透明な部材により形成された画像表示部（保護カバー１７）に対し、装置外部から特定波長の光を特定強度で照射することにより、消色トナーで現像された表示画像の非画像部の任意部を消色し、情報を追記した後、追記した情報の消去が必要となる場合が考えられる。
このような場合には、追記画像消色手段４０により画像表示部全体に消色トナーの消色に必要な特定波長の光を特定強度で照射する。これにより、消色トナーで現像された表示画像の非画像部全体が消色され、追記情報を消去することが可能となる。追記画像消色手段４０による消色は画像表示ベルト１を移動させながら行う。
【００３５】
画像表示装置の使用時に、表示画像の記録が必要となる場合が考えられる。特に、画像表示時に追記した情報は当初の画像情報には無い情報なので、その必要性は大きい。
表示画像の記録が必要な場合には、上述のように表示画像はクリーニング装置１４により除去されることなく中間転写ローラ１９に転写され、転写紙Ｐに転写されて定着される。
また、上述のように紙情報として記録した表示情報は、記録後に追記情報のみ不要になる場合、あるいは追記情報を消去する必要がある場合が考えられる。
このような場合には、記録済みの転写紙Ｐを給紙カセット２３に消去したい画像面を下向きにしてセットし、転写部２１、定着装置２８を介してオン状態の消色光照射手段３１を通過させる。消色光照射手段３１から消色トナーの消色に必要な特定波長の光が特定強度で照射され、これにより転写紙Ｐの消色トナーで現像された表示画像の非画像部全体を消色し、追記情報を消去することが可能となる。消去しない場合には消色光照射手段３１はオフ状態を維持される。
【００３６】
上述のように紙情報として記録した表示情報は、追記情報に関しては一時的にのみ必要である場合、また、長期間の情報保存が機密上問題となる場合が考えられる。このような場合、消色トナーの材質を、通常環境下で特定期間放置することにより自然に消色される組成とすることにより、一定期間以上、記録紙情報が保存されることを防止できる（第３の実施形態）。
【００３７】
第１の実施形態における画像形成ユニット４の２段構成の現像ユニットにおける駆動機構を、図２乃至図６に基づいて説明する（他の実施形態においても同じである）。
消色トナー現像器８におけるパドルローラ１１とスクリューコンベア１２とは、消色トナー現像器８の一方の端板の外側において、図２に示すように、それらの各軸４１Ｓ、４２Ｓに固定された歯車４１Ｇ、４２Ｇで中間遊び歯車４３Ｇを介して互に連結されている。
同様にパドルローラ１１と現像ローラ１０もそれらの各軸４１Ｓ、４４Ｓに固定された歯車４１Ｇ、４４Ｇで中間遊び歯車４５Ｇを介して互に連結されている。
通常トナー現像器３５におけるパドルローラ３７とスクリューコンベア３８も、それらの各軸４６Ｓ、４７Ｓに固定された歯車４６Ｇ、４７Ｇで中間遊び歯車４８Ｇを介して互に連結されている。同様にパドルローラ３７と現像ローラ３６もそれらの各軸４６Ｓ、４９Ｓに固定された歯車４６Ｇ、４９Ｇで中間遊び歯車５０Ｇを介して互に連結されている。
【００３８】
各現像ローラ１０、３６は、歯車４４Ｇ、４９Ｇが図示しない駆動源によって駆動されることにより回転する。
図２において、装置本体側に設けられた駆動源としてのモータ（図示せず）に結合された駆動軸５１Ｓには、駆動歯車５１Ｇが固定されている。この駆動歯車５１Ｇは、歯車４４Ｇ、４９Ｇの何れか一方に噛み合うことにより、現像ローラ１０又は３６が回転する。図２では、駆動歯車５１Ｇが歯車４４Ｇに噛み合っており、従って消色トナー現像器８の現像ローラ１０が回転する。
上述した構成・動作において画像形成ユニット４内の２つの現像ローラ１０、３６のうちの１つが感光体ドラム５上の静電潜像を現像するために回転して働いているときは、他の１つの現像ローラは停止している。
また、１つの現像ローラが感光体ドラム５上の静電潜像を現像するために回転して働いているとき、他の１つの現像ローラ上の現像剤が感光体ドラム５に移ること、及び感光体ドラム５上の現像剤が他の１つの現像ローラ上に移ることによる混色を防止するために、少なくとも、回転を停止している非動作現像ローラ上の現像剤は感光体ドラム５に対し非接触状態とする必要がある。
【００３９】
本実施形態では、非動作現像ローラ上の現像剤を感光体ドラム５に対し非接触状態とする手法として、２つの現像ローラを含む現像ユニットを回動させて感光体ドラム５に対する現像ローラの位置をずらし、現像ローラ上に形成される現像剤の穂を感光体ドラム５に対する非接触位置に移動するようにしている。
これを図３乃至図６に基づいて具体的に説明する。
図３に示すように、感光体ドラム５の回転方向上流側に位置する現像ローラ１０を含む消色トナー現像器８と、感光体ドラム５の回転方向下流側に位置する現像ローラ３６を含む通常トナー現像器１３からなる現像ユニットは、画像形成ユニット４の側板５２に対し、現像ユニット回動軸５３を中心に回動可能に支持されている。
図３において、符号５４、５５はトナー飛散を防止するシール材を、符号５６、５７はトナーの層厚みを規制するドクターブレードを、符号５７は図示しない駆動源からの回転力を受けて現像ユニットを回動させる偏心カムをそれぞれ示す。
【００４０】
感光体ドラム５は、画像形成ユニット４の側板５２に対し、感光体ドラム軸５ａを中心に回転可能に支持されている。現像ユニット及び感光体ドラム５は、感光体ドラム軸５ａの軸方向における他端側の図示しない画像形成ユニット側板に対しても同様に支持されている。
図３において、感光体ドラム５の回転方向上流側に配置された現像ローラ１０は、感光体ドラム５に対して規定の現像ギャップで回転し、現像剤が感光体ドラム５に接触している。感光体ドラム５の下流側に配置された現像ローラ３６は、現像剤が感光体ドラム５に対して非接触状態で停止している。
このとき、図４に示すように、歯車４４Ｇは駆動歯車５１Ｇと噛み合い状態であり、駆動歯車５１Ｇにより回転駆動されており、現像ローラ１０及びパドルローラ１１、スクリューコンベア１２が回転している。歯車４９Ｇは駆動歯車５１Ｇと非噛み合い状態であり、現像ローラ３６及びパドルローラ３７、スクリューコンベア３８は停止している。
【００４１】
現像機能を感光体ドラム５の回転方向下流側に配置された現像ローラ３６に切り替えるため、現像ユニットを現像ユニット回動軸５３を中心に時計回り方向に回動した状態を図５に示す。
感光体ドラム５の下流側に配置された現像ローラ３６が感光体ドラム５に対し、規定の現像ギャップとなっているとともに、感光体ドラム５の上流側に配置された現像ローラ１０は、現像剤が感光体ドラム５に対し非接触状態となっている。
このとき、図６に示すように、歯車４９Ｇは駆動歯車５１Ｇと噛み合い状態であり、駆動歯車５１Ｇを回転駆動することにより、現像ローラ３６及びパドルローラ３７、スクリューコンベア３８が回転する。歯車４４Ｇは駆動歯車５１Ｇと非噛み合い状態であり、現像ローラ１０及びパドルローラ１１、スクリューコンベア１２は停止している。
【００４２】
以上のような動作は、駆動歯車５１Ｇを、消色トナー現像器８の現像ローラ１０が感光体ドラム５に対して規定の現像ギャップにあるとき、歯車４４Ｇと噛み合い状態となるとともに、通常トナー現像器３５の現像ローラ３６が感光体ドラム５に対して規定の現像ギャップにあるとき、歯車４９Ｇと噛み合い状態となる位置に配置すること、及び、消色トナー現像器８が、現像ローラ１０が感光体ドラム５に対して規定の現像ギャップにあるとともに、歯車４４Ｇと駆動歯車５１Ｇが噛み合い状態となる位置にあるとき、通常トナー現像器３５を、現像ローラ３６が感光体ドラム５に対して規定の現像ギャップにあるとともに、歯車４９Ｇと駆動歯車５１Ｇが噛み合い状態となる位置から、任意の現像ユニット回動軸５３を中心に、現像ローラ２０１が感光体５から離れるとともに、歯車４９Ｇが駆動歯車５１Ｇから離れる方向に、必要な回動角θだけ回動した位置にあるよう配置することで実現できる。
【００４３】
現像ギャップを高精度に維持するためには、現像ユニット回動駆動機構には、高精度の回動動作および回動停止位置の高精度維持が必要となる。図３(ａ)、(ｂ)および図４(ａ)、(ｂ)に示すように、現像ユニット回動駆動機構として、偏芯カム５８を有する機構を採用した場合、現像ユニットの回動角θが微小であっても、対応する偏芯カム回転角は、ある程度大きな角度を確保することができ、高精度の回動動作及び回動停止位置の高精度維持が可能となり出力画像の高画質化が実現できる。
【図面の簡単な説明】
【００４４】
【図１】第１の実施形態における画像表示装置の概要正面図である。
【図２】各現像器の駆動機構におけるギア列を示す図である。
【図３】消色トナー現像器により現像がなされる状態を示す概要断面図である。
【図４】消色トナー現像器により現像がなされる場合のギアの噛み合い状態を示す図である。
【図５】現像ユニットを回動させて通常トナー現像器により現像がなされる状態を示す概要断面図である。
【図６】通常トナー現像器により現像がなされる場合のギアの噛み合い状態を示す図である。
【符号の説明】
【００４５】
５  像担持体としての感光体ドラム
１７  表示部としての保護カバー
３１  記録媒体上の表示画像に光を照射して消色する手段としての消色光照射手段
３２  ポインター装置
４０  追記画像を消去する手段としての追記画像消色手段
【図１】
2005092109.tif 000003
【図２】
2005092109.tif 000004
【図３】
2005092109.tif 000005
【図４】
2005092109.tif 000006
【図５】
2005092109.tif 000007
【図６】
2005092109.tif 000008